(57)【特許請求の範囲】
【請求項１】
底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、長側壁に形成されたロック部材配設空間に、水平方向にスライド可能なロック部材が配設されているとともに、長側壁の下端水平リブには、ロック部材の嵌合ロッド部が挿入されるスリットが穿設されており、更に、長側壁がヒンジ連結されている底部の長辺側土手部には、ロック部材の嵌合ロッド部が挿入可能な開口部及びロック位置空間部を有するロッド嵌合用空間部が形成されていることを特徴とする折り畳みコンテナー。
【請求項２】
底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、底部の長辺側土手部に形成されたロック部材配設空間に、水平方向にスライド可能なロック部材が配設されているとともに、底部の長辺側土手部には、ロック部材配設空間に隣接して、且つ、透孔が穿設された隔壁を介して、長側壁の下端水平リブの裏面に垂設されたロッド嵌合ブロックが挿入可能な嵌合ブロック挿入用凹部が形成されており、更に、長側壁の下端水平リブの裏面に垂設されたロッド嵌合ブロックには、ロック部材の嵌合ロッド部が挿入可能なロッド嵌合用空間部が形成されていることを特徴とする折り畳みコンテナー。
【請求項３】
底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、長側壁に形成されたロック部材配設空間に、回動可能なロック部材が配設されているとともに、長側壁の下端水平リブには、ロック部材の嵌合ロッド部が挿入されるスリットが穿設されており、更に、長側壁がヒンジ連結されている底部の長辺側土手部には、ロック部材が挿入可能なロッド嵌合用空間部が形成されていることを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来の折り畳みコンテナーにおいては、短側壁に較べて、横幅の長い長側壁が、強度や曲げ剛性の点から弱く、変形し易いという問題があった。特に、折り畳みコンテナーの大型化に伴い、長側壁の横幅が、１メートルを越えるものや、２メートル近くにもなると、長側壁の変形が顕著となり、箱型に組み立てられた長側壁を持って運搬することが困難となる。
【０００３】
箱型に組み立てられた折り畳みコンテナーを運搬する際には、通常、作業者は、一方の長側壁側に位置し、両手で、それぞれ、相対する短側壁の中央上部に形成されている把持部を持って、箱型に組み立てられた折り畳みコンテナーを運搬するが、短側壁の横幅は短いので、短側壁が内側に大きく傾倒したり湾曲するようなことはなく、従って、折り畳みコンテナーに収納されている物品が損傷するようなことはない。しかしながら、長側壁の横幅が、１メートルを越えるものや、２メートル近くにもなると、相対する短側壁の中央上部に形成されている把持部を持って、箱型に組み立てられた折り畳みコンテナーを運搬することが難しくなり、作業者は、一方の長側壁側に位置した後、両手で、それぞれ相対する長側壁の適当な把持部を持って、箱型に組み立てられた折り畳みコンテナーを運搬することが、通常、行われている。このように、相対する長側壁に形成されている把持部を持って、箱型に組み立てられた折り畳みコンテナーを運搬すると、長側壁が内側に大きく傾倒したり湾曲することになり、従って、折り畳みコンテナーに収納されている物品が損傷したり、長側壁が損傷するという問題があった。
【０００４】
上述した課題を解決するために、本出願人は、本出願人の先の出願である特許文献１において、長側壁に、上下動可能な傾倒抑制部材を配設し、傾倒抑制部材を下動させて、傾倒抑制部材のロッドを、長側壁がヒンジ連結されている底部の土手部に形成された透孔に嵌合することにより、長側壁の内側への傾倒や湾曲を抑制するようにした折り畳みコンテナーを提案した。
【０００５】
【特許文献１】特開２００５−５３４８２号公報
【発明の開示】
【発明が解決しようとする課題】
【０００６】
ところで、長側壁がヒンジ連結されている底部の土手部は、短側壁がヒンジ連結されている土手部より、その高さが高く形成されており、折り畳みコンテナーが箱型に組み立てられた状態から、折り畳みコンテナーを折り畳む際には、先ず最初に、高さの低い土手部にヒンジ連結されている短側壁を、底部に重なるように倒し、次いで、高さの高い土手部にヒンジ連結されている長側壁を、先に倒された短側壁に重なるように倒すことにより、折り畳むことができるように構成されている。
【０００７】
上述したように、長側壁は、底部の高い土手部にヒンジ連結されているために、長側壁の高さは、より低く押さえられることになるので、特許文献１に開示されているような傾倒抑制部材を上下動可能に配設するスペースを、長側壁に設けることが困難になるとともに、傾倒抑制部材を上下動可能に配設することができても、長側壁がヒンジ連結されている底部の土手部に形成された透孔に嵌合される傾倒抑制部材のロッドの長さが短くなり、従って、傾倒抑制部材により、長側壁の内側への傾倒や湾曲を抑制することができないという問題がある。
【０００８】
本発明の目的は、上述した従来の折り畳みコンテナーが有する課題を解決することにある。
【課題を解決するための手段】
【０００９】
本発明は、上述した目的を達成するために、第１には、底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、長側壁に形成されたロック部材配設空間に、水平方向にスライド可能なロック部材を配設するとともに、長側壁の下端水平リブには、ロック部材の嵌合ロッド部が挿入されるスリットを穿設し、更に、長側壁がヒンジ連結されている底部の長辺側土手部に、ロック部材の嵌合ロッド部が挿入可能な開口部及びロック位置空間部を有するロッド嵌合用空間部を形成したものであり、第２には、底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、底部の長辺側土手部に形成されたロック部材配設空間に、水平方向にスライド可能なロック部材を配設するとともに、底部の長辺側土手部には、ロック部材配設空間に隣接して、且つ、透孔が穿設された隔壁を介して、長側壁の下端水平リブの裏面に垂設されたロッド嵌合ブロックが挿入可能な嵌合ブロック挿入用凹部を形成し、更に、長側壁の下端水平リブの裏面に垂設されたロッド嵌合ブロックには、ロック部材の嵌合ロッド部が挿入可能なロッド嵌合用空間部を形成したものであり、第３には、底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、長側壁に形成されたロック部材配設空間に、回動可能なロック部材を配設するとともに、長側壁の下端水平リブには、ロック部材の嵌合ロッド部が挿入されるスリットを穿設し、更に、長側壁がヒンジ連結されている底部の長辺側土手部に、ロック部材が挿入可能なロッド嵌合用空間部を形成したものである。
【発明の効果】
【００１０】
長側壁に形成されたロック部材配設空間に、水平方向にスライド可能なロック部材を配設するとともに、長側壁の下端水平リブには、ロック部材の嵌合ロッド部が挿入されるスリットを穿設し、更に、長側壁がヒンジ連結されている底部の長辺側土手部に、ロック部材の嵌合ロッド部が挿入可能な開口部及びロック位置空間部を有するロッド嵌合用空間部を形成したので、箱型に組み立てられた折り畳みコンテナーの長側壁に、外側から内側方向に負荷が加わった際に、長側壁が内側に傾倒したり湾曲するようなことを抑制することができる。
【００１１】
底部の長辺側土手部に形成されたロック部材配設空間に、水平方向にスライド可能なロック部材を配設するとともに、底部の長辺側土手部には、ロック部材配設空間に隣接して、且つ、透孔が穿設された隔壁を介して、長側壁の下端水平リブの裏面に垂設されたロッド嵌合ブロックが挿入可能な嵌合ブロック挿入用凹部を形成し、更に、長側壁の下端水平リブの裏面に垂設されたロッド嵌合ブロックには、ロック部材の嵌合ロッド部が挿入可能なロッド嵌合用空間部を形成したので、箱型に組み立てられた折り畳みコンテナーの長側壁に、外側から内側方向に負荷が加わった際に、長側壁が内側に傾倒したり湾曲するようなことを抑制することができる。
【００１２】
長側壁に形成されたロック部材配設空間に、回動可能なロック部材を配設するとともに、長側壁の下端水平リブには、ロック部材の嵌合ロッド部が挿入されるスリットを穿設し、更に、長側壁がヒンジ連結されている底部の長辺側土手部に、ロック部材が挿入可能なロッド嵌合用空間部を形成したので、箱型に組み立てられた折り畳みコンテナーの長側壁に、外側から内側方向に負荷が加わった際に、長側壁が内側に傾倒したり湾曲するようなことを抑制することができる。
【発明を実施するための最良の形態】
【００１３】
以下に、本発明の実施例（第１実施例）について説明するが、本発明の趣旨を越えない限り何ら、本実施例に限定されるものでない。
【００１４】
本発明の折り畳みコンテナーは、底部１と、底部１の長辺側土手部１ａにヒンジ連結された相対する長側壁２と、長辺側土手部１ａより高さの低い短辺側土手部１ｂにヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【００１５】
長側壁２は、横長の略長方形状の板状部２ａを有しており、長側壁２の両垂直端には、板状部２ａに略垂直で、且つ、長側壁２の内壁面方向に延在する、縦長の係合枠２ｂが形成されており、係合枠２ｂには、上下方向に所定の間隔を置いて、板状部２ａに略平行な嵌合孔２ｂ１が、適当数、形成されている（本実施例においては、２個の嵌合孔２ｂ１が形成されている。）。
【００１６】
長側壁２の板状部２ａの上部両端角部付近には、それぞれ、略コの字状のスリット２ｃが形成されており、略コの字状のスリット２ｃを形成することにより、スリット２ｃで囲まれた部分が、水平方向に延在する片持ち状の係止弾性片２ｄが形成されている。係止弾性片２ｄの内面側の先端には、係止突部２ｄ１が突設されており、係止突部２ｄ１の係合枠２ｂ側は、係合枠２ｂの内面側の面と略平行な垂直面に形成されている。
【００１７】
長側壁２の板状部２ａの上下端には、板状部２ａに略垂直で、且つ、外側に延在する上端水平リブ２ｅ及び下端水平リブ２ｆが形成されており、また、板状部２ａの外面（折り畳みコンテナーを箱型に組み立てた際に、外側に位置する面）には、適当数の垂直リブ２ｇや水平リブ２ｈが形成されている。
【００１８】
短側壁３は、横長の略長方形状の板状部３ａを有しており、板状部３ａの上下端には、板状部３ａに略垂直で、且つ、外側に延在する上端水平リブ３ｂ及び下端水平リブ３ｃが、それぞれ形成されており、また、板状部３ａの左右端には、板状部３ａに略垂直で、且つ、外側に延在する端部垂直リブ３ｄが、それぞれ形成されている。端部垂直リブ３ｄの外側には、縦長の延長枠３ｅが形成されており、延長枠３ｅには、端部垂直リブ３ｄに沿って適当数の嵌合突部３ｅ１が形成されている（本実施例においては、上述した係合枠２ｂに形成された２個の嵌合孔２ｂ１に対応して、２個の嵌合突部３ｅ１が形成されている。）。嵌合突部３ｅ１は、上述した長側壁２の係合枠２ｂに形成された嵌合孔２ｂ１に挿入できるように構成されている。更に、板状部３ａの外面（折り畳みコンテナーを箱型に組み立てた際に、外側に位置する面）には、適当数の垂直リブ３ｆや水平リブ３ｇが形成されている。
【００１９】
折り畳みコンテナーを、図３に示されている折り畳まれた状態から、図１に示されている箱型に組み立てるには、先ず最初に、略水平状態の長側壁２を、垂直方向に回動させて、図２に示されているように、略垂直に立てる。次いで、底部１に重なるようにして折り畳まれている短側壁３を、略水平状態から垂直方向に回動させると、短側壁３の延長枠３ｅが、長側壁２に形成された係合枠２ｂに対向するように接近し、更に、短側壁３を、垂直方向に回動させると、短側壁３の延長枠３ｅの端部垂直面が、長側壁２の内面から突出している係止弾性片２ｄの係止突部２ｄ１を押して、係止弾性片２ｄを、外側方向に、係止弾性片２ｄの弾性に抗して、湾曲させる。更に、短側壁３を、垂直方向に回動させると、短側壁３の延長枠３ｅに突設された嵌合突部３ｅ１が、長側壁２の係合枠２ｂに形成された嵌合孔２ｂ１に挿入される。この短側壁３の延長枠３ｅに突設された嵌合突部３ｅ１が、長側壁２の係合枠２ｂに形成された嵌合孔２ｂ１に挿入される過程において、短側壁３の延長枠３ｅの端部垂直面から、長側壁２に形成された係止弾性片２ｄの係止突部２ｄ１が外れて、係止弾性片２ｄが、その弾性により元の位置に戻り、係止弾性片２ｄの係止突部２ｄ１が、短側壁３の延長枠３ｅに当接或いは接近して位置する。従って、短側壁３が、底部１方向に回動しようとしても、短側壁３の延長枠３ｅが、長側壁２に形成された係止弾性片２ｄの係止突部２ｄ１に当接し、底部１方向への回動が阻止されることになり、短側壁３に外側から負荷が掛かっても、底部１方向に倒れるようなことがない。同様にして、もう一方の短側壁３を、略水平状態から垂直方向に回動させて、折り畳みコンテナーを箱型に組み立てる。
【００２０】
箱型に組み立てられた折り畳みコンテナーを折り畳む際には、長側壁２に形成された係止弾性片２ｄの係止突部２ｄ１を、短側壁３の延長枠３ｅから外れる方向に、即ち、外側方向に押して、長側壁２の係止弾性片２ｄを、その弾性に抗して湾曲させる。長側壁２に形成された係止弾性片２ｄの係止突部２ｄ１が、短側壁３の延長枠３ｅから外れた時点で、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。
【００２１】
図１や図４等に示されているように、長側壁２の板状部２ａの中央領域には、上端水平リブ２ｅと下端水平リブ２ｆとを連結する一対の垂直区画リブ２ｉが、所定の間隔を置いて形成されており、また、一対の垂直区画リブ２ｉを連結する水平区画リブ２ｊを形成することにより、長側壁２には、板状部２ａと一対の垂直区画リブ２ｉと水平区画リブ２ｊと下端水平リブ２ｆとで区画された、後述するロック部材が配設されロック部材配設空間Ａ１が形成されている。
【００２２】
ロック部材配設空間Ａ１内に位置する下端水平リブ２ｆには、下端水平リブ２ｆの長手方向に沿って、スリット２ｆ１が穿設されており、また、ロック部材配設空間Ａ１内に位置する水平区画リブ２ｊには、水平区画リブ２ｊの長手方向に沿って、スリット２ｊ１が穿設されている。
【００２３】
次に、図４を用いて、ロック部材配設空間Ａ１内に、水平方向に移動可能に配設されるロック部材Ｓ１について説明する。
【００２４】
ロック部材Ｓ１は、箱型状のスライド基部ｓ１と、スライド基部ｓ１の水平な天部ｓ１ａの中央部に立設された吊下部ｓ２と、スライド基部ｓ１の水平な裏面に垂設された嵌合ロッド部ｓ３とから構成されている。
【００２５】
ロック部材Ｓ１を構成する吊下部ｓ２は、略角柱状の柱状体ｓ２ａと柱状体ｓ２ａの周囲に形成された環状の突条ｓ２ｂとから構成されている。柱状体ｓ２ａの短側面に沿った厚さは、長側壁２に形成されたロック部材配設空間Ａ１内に位置する水平区画リブ２ｊに穿設されたスリット２ｊ１の幅（板状部２ａに対して垂直方向の長さ）Ｗ１と同じか、或いは、スリット２ｊ１の幅Ｗ１より、若干、薄く形成されており、従って、吊下部ｓ２の柱状体ｓ２ａは、水平区画リブ２ｊに穿設されたスリット２ｊ１に簡単に挿入可能に構成されている。また、柱状体ｓ２ａの相対する長側面側に位置する突条ｓ２ｂの短側面に沿った厚さＴ１は、ロック部材配設空間Ａ１内に位置する水平区画リブ２ｊに穿設されたスリット２ｊ１の幅Ｗ１より、厚く形成されており、従って、吊下部ｓ２を、ロック部材配設空間Ａ１内に位置する水平区画リブ２ｊの下方から、水平区画リブ２ｊに穿設されたスリット２ｊ１に挿入する際には、柱状体ｓ２ａの相対する長側面側に位置する突条ｓ２ｂを、強制的に、水平区画リブ２ｊに穿設されたスリット２ｊ１に押し込むことになり、柱状体ｓ２ａが、水平区画リブ２ｊに穿設されたスリット２ｊ１に挿入された際には、柱状体ｓ２ａの相対する長側面側に位置する突条ｓ２ｂが、スリット２ｊ１が穿設された水平区画リブ２ｊに載置され、ロック部材Ｓ１が、水平区画リブ２ｊに吊り下げられるように構成されている。
【００２６】
長側壁２に形成されたロック部材配設空間Ａ１内に位置する下端水平リブ２ｆに穿設されたスリット２ｆ１の幅（板状部２ａに対して垂直方向の長さ）Ｗ２は、ロック部材Ｓ１を構成する吊下部ｓ２及び嵌合ロッド部ｓ３とが挿入可能なように構成されている。
【００２７】
ロック部材Ｓ１を、長側壁２に形成されたロック部材配設空間Ａ１内に配設するには、ロック部材Ｓ１を、ロック部材配設空間Ａ１内に位置する下端水平リブ２ｆの下方に配置し、その後、ロック部材Ｓ１を上動させて、ロック部材Ｓ１を構成する吊下部ｓ２及びスライド基部ｓ１を、長側壁２の下端水平リブ２ｆに穿設されたスリット２ｆ１に挿入するとともに、上述したように、吊下部ｓ２の柱状体ｓ２ａの周囲に形成された突条ｓ２ｂを、強制的に、水平区画リブ２ｊに穿設されたスリット２ｊ１に押し込み、ロック部材Ｓ１を、長側壁２に形成されたロック部材配設空間Ａ１内に位置する水平区画リブ２ｊに吊り下げることにより、図５に示されているように、ロック部材Ｓ１を、長側壁２に形成されたロック部材配設空間Ａ１内に配設する。
【００２８】
上述したようにして、ロック部材Ｓ１を、長側壁２に形成されたロック部材配設空間Ａ１内に位置する水平区画リブ２ｊに吊り下げた際には、ロック部材Ｓ１を構成するスライド基部ｓ１の裏面が、ロック部材配設空間Ａ１内に位置する下端水平リブ２ｆの上面と同じか、或いは、下端水平リブ２ｆの上面より、若干、上方に位置するように構成されている。
【００２９】
また、上述したようにして、ロック部材Ｓ１を、長側壁２に形成されたロック部材配設空間Ａ１内に位置する水平区画リブ２ｊに吊り下げた際には、ロック部材Ｓ１を構成する嵌合ロッド部ｓ３が、長側壁２の下端水平リブ２ｆから下方に突出するように構成されている。このように、長側壁２に形成されたロック部材配設空間Ａ１内に位置する水平区画リブ２ｊに吊り下げられたロック部材Ｓ１は、長側壁２に形成された水平区画リブ２ｊに穿設されたスリット２ｊ１に沿って、水平方向にスライド可能に構成されている。
【００３０】
長側壁２に形成されたロック部材配設空間Ａ１内に配設されたロック部材Ｓ１に対応して、図６及び図７に示されているように、底部１の長辺側土手部１ａには、ロッド嵌合用空間部Ａ２が形成されている。底部１の長辺側土手部１ａは、底板１ｃの長辺に沿って、底板１ｃに略垂直に立設された内壁部１ａ１と、内壁部１ａ１の上端から、外側に水平に延在された水平部１ａ２と、水平部１ａ２の先端に、内壁部１ａ１と略平行に垂設された外壁部１ａ３とから、長辺側土手部１ａの長手方向に対して垂直な側断面が、略逆Ｕ字状に形成されている。
【００３１】
底部１の長辺側土手部１ａに形成されたロッド嵌合用空間部Ａ２は、長辺側土手部１ａを形成する内壁部１ａ１と外壁部１ａ３と外壁部１ａ３に対して略垂直な、相対する側壁部ａ１とにより形成されており、必要に応じて、底板部ａ２が形成されている。また、ロッド嵌合用空間部Ａ２の一方の側壁部ａ１側に位置する長辺側土手部１ａの内壁部１ａ１には、上述したロック部材Ｓ１の嵌合ロッド部ｓ３が挿入可能な開口部ａ３が形成されている。
【００３２】
図３に示されているように、折り畳まれた状態の折り畳みコンテナーを、図１に示されているように、箱型に組み立てる場合には、先ず最初に、一方の長側壁２を、垂直方向に回動させることになるが、この長側壁２の垂直方向への回動に先立って、長側壁２のロック部材配設空間Ａ１内に配設されたロック部材Ｓ１を、底部１の長辺側土手部１ａに形成されたロッド嵌合用空間部Ａ２を構成する内壁部１ａ１に形成された開口部ａ３方向にスライドさせて、ロック部材Ｓ１の嵌合ロッド部ｓ３を、図５に示されているように、開口部ａ３の位置（図５において、ロック部材Ｓ１の吊下部ｓ２が、水平区画リブ２ｊに穿設されたスリット２ｊ１の右端付近に配置されている位置）に配置しておく。この状態から、長側壁２を、垂直方向に回動させると、長側壁２に配設されたロック部材Ｓ１の嵌合ロッド部ｓ３が、長辺側土手部１ａの内壁部１ａ１に当接することなく、開口部ａ３を経て、ロッド嵌合用空間部Ａ２内に挿入されることになる。長側壁２が、略垂直に立てられた後に、ロック部材Ｓ１を、ロック部材配設空間Ａ１を構成する開口部ａ３付近に位置する側壁部ａ１と対向するもう一方の側壁部ａ１方向にスライドさせて、図８に示されているように、ロック部材Ｓ１の嵌合ロッド部ｓ３を、ロッド嵌合用空間部Ａ２の長辺側土手部１ａの内壁部１ａ１と外壁部１ａ３間に位置する空間部（以下、単に、ロック位置空間部という。）Ａ２’に挿入する。次いで、同様にして、もう一方の長側壁２を、垂直方向に回動させて、もう一方の長側壁２が、略垂直に立てられた後に、ロック部材Ｓ１の嵌合ロッド部ｓ３を、ロッド嵌合用空間部Ａ２のロック位置空間部Ａ２’に挿入する。その後、短側壁３を、垂直方向に回動させて、略垂直に立てることにより、折り畳まれた状態の折り畳みコンテナーが、箱型に組み立てられることになる。
【００３３】
上述したように．折り畳みコンテナーが箱型に組み立てられた状態においては、長側壁２のロック部材配設空間Ａ１内に配設されたロック部材Ｓ１の嵌合ロッド部ｓ３が、底部１の長辺側土手部１ａに形成されたロッド嵌合用空間部Ａ２を構成するロック位置空間部Ａ２’に挿入されているので、箱型に組み立てられた折り畳みコンテナーの長側壁２に、外側から内側方向に負荷が加わった際には、ロッド嵌合用空間部Ａ２を構成するロック位置空間部Ａ２’に挿入されているロック部材Ｓ１の嵌合ロッド部ｓ３が、ロック位置空間部Ａ２’内に位置する長辺側土手部１ａの内壁部１ａ１の内面（ロック位置空間部Ａ２’内に位置する面）１ａ１’に当接することになり、従って、長側壁２が内側に傾倒したり湾曲するようなことを抑制することができる。
【００３４】
箱型に組み立てられた折り畳みコンテナーの長側壁２に、外側から内側方向に負荷が加わった場合には、ロッド嵌合用空間部Ａ２を構成するロック位置空間部Ａ２’に挿入されているロック部材Ｓ１の嵌合ロッド部ｓ３が、ロック位置空間部Ａ２’内に位置する長辺側土手部１ａの内壁部１ａ１の内面１ａ１’に当接することになり、ロック位置空間部Ａ２’内に位置する長辺側土手部１ａの内壁部１ａ１に負荷がかかることになり、内壁部１ａ１が変形したり、損傷する場合がある。このような内壁部１ａ１の変形や損傷を防止するために、内壁部１ａ１の外面（底部１の底板１ｃ側に位置する面）１ａ１”と底板１ｃにより形成される隅部に、適当数の補強用リブ４を形成する。本実施例には、補強用縦リブ４は、内壁部１ａ１の外面１ａ１”側に位置する棒状に垂直部４ａと底板１ｃ側に位置する棒状に水平部４ｂとにより構成されている例が示されているが、三角形状のリブでも、また、他の形状のリブでもよい。
【００３５】
また、箱型に組み立てられた折り畳みコンテナーの長側壁２に、内側から外側方向に負荷が加わった場合には、ロッド嵌合用空間部Ａ２を構成するロック位置空間部Ａ２’に挿入されているロック部材Ｓ１の嵌合ロッド部ｓ３が、ロック位置空間部Ａ２’内に位置する長辺側土手部１ａの外壁部１ａ３の内面（ロック位置空間部Ａ２’内に位置する面）１ａ３’に当接することになり、ロック位置空間部Ａ２’内に位置する長辺側土手部１ａの外壁部１ａ３に負荷がかかることになり、ロッド嵌合用空間部Ａ２が形成されているために、強度や剛性が低下している外壁部１ａ３が、変形したり、損傷することになる。このような外壁部１ａ３の変形や損傷を防止するために、ロッド嵌合用空間部Ａ２内に位置する外壁部１ａ３に、適当数の補強用凹部や補強用リブを形成することが好ましい。
【００３６】
更に、長側壁２の下端水平リブ２ｆには、ロック部材Ｓ１の嵌合ロッド部ｓ３が挿入されるスリット２ｆ１が穿設されているために、下端水平リブ２ｆの強度や剛性が低下しているので、このような強度や剛性の低下を防止するために、ロック部材配設空間Ａ１を形成する一対の垂直区画リブ２ｉ間に位置する下端水平リブ２ｆの上面に、スリット２ｆ１を塞がないように、且つ、一対の垂直区画リブ２ｉを架橋する補強用リブを形成することが好ましい。なお、ロック部材配設空間Ａ１を形成する一対の垂直区画リブ２ｉ間に位置する下端水平リブ２ｆの裏面に、スリット２ｆ１を塞がないように補強用リブと同様の補強用リブを垂設することもできる。下端水平リブ２ｆの裏面に、補強用リブを垂設した場合には、この補強用リブが、底部１の長辺側土手部１ａに当接しないように、長辺側土手部１ａには、補強用リブが嵌合する凹部を形成することになる。
【００３７】
なお、上述した実施例には、長側壁２の板状部２ａの中央領域に、ロック部材配設空間Ａ１を形成し、ロック部材配設空間Ａ１にロック部材Ｓ１を配設するとともに、ロック部材配設空間Ａ１に対応して、底部１の長辺側土手部１ａに、ロッド嵌合用空間部Ａ２を形成した例が示されているが、このような実施例に限定されることなく、長側壁２側のロック部材Ｓ１が配設されたロック部材配設空間Ａ１及びロック部材配設空間Ａ１に対応して形成される底部１の長辺側土手部１ａ側のロッド嵌合用空間部Ａ２を、複数個、形成することもできる。
【００３８】
なお、長側壁２に配設されたロック部材Ｓ１の嵌合ロッド部ｓ３が、底部１の長辺側土手部１ａに形成されたロッド嵌合用空間部Ａ２のロック位置空間部Ａ２’から排出された場合、換言すれば、長側壁２と底部１の長辺側土手部１ａとのロック部材Ｓ１によるロック解除位置においては、ロック部材Ｓ１のスライド基部ｓ１の一部が、長側壁２のスリット２ｆ１が穿設されている下端水平リブ２ｆ（図４において、スリット２ｆ１の右側に位置する下端水平リブ２ｆ）に載置されるように構成し、また、長側壁２に配設されたロック部材Ｓ１の嵌合ロッド部ｓ３が、底部１の長辺側土手部１ａに形成されたロッド嵌合用空間部Ａ２のロック位置空間部Ａ２’内に位置する場合、換言すれば、長側壁２と底部１の長辺側土手部１ａとのロック部材Ｓ１によるロック位置においては、ロック部材Ｓ１のスライド基部ｓ１の一部が、長側壁２のスリット２ｆ１が穿設されている下端水平リブ２ｆ（図４において、スリット２ｆ１の左側に位置する下端水平リブ２ｆ）に載置されるように構成されている。このように構成することにより、ロック部材Ｓ１を構成する吊下部ｓ２の突条ｓ２ｂが、長側壁２の水平区画リブ２ｊに形成されたスリット２ｊ１から、不用意に、抜け出て、ロック部材Ｓ１が落下するようなことを防止することができる。
【００３９】
次に、図９〜図１２を用いて、本発明の他の実施例（第２実施例）について説明する。
【００４０】
長側壁２の下端水平リブ２ｆの中央部付近の裏面には、後述するロック部材の嵌合ロッド部が嵌合可能なロッド嵌合用空間部Ａ３を有するロッド嵌合ブロック１０が垂設されている。ロッド嵌合ブロック１０に形成されているロッド嵌合用空間部Ａ３は、ロッド嵌合ブロック１０の内面１０ａ側と相対する側面１０ｂの一方の側面１０ｂ側が開放された窪み状凹部として形成されている。
【００４１】
底部１の長辺側土手部１ａには、長側壁２を略垂直に立てた際に、長側壁２の下端水平リブ２ｆに垂設されたロッド嵌合ブロック１０が挿入可能な嵌合ブロック挿入用凹部１１が形成されている。嵌合ブロック挿入用凹部１１は、長辺側土手部１ａの外壁部１ａ３と外壁部１ａ３に対して略垂直な、相対する側壁部１１ａと底板部１１ｂとにより形成されており、嵌合ブロック挿入用凹部１１は、上方と折り畳みコンテナーの内側、換言すれば、長辺側土手部１ａの内壁部１ａ１の一部が開口されている。
【００４２】
底部１の長辺側土手部１ａには、嵌合ブロック挿入用凹部１１の近傍に位置する長辺側土手部１ａの外壁部１ａ３を、内壁部１ａ１方向に凹ますことにより、ロック部材配設空間Ａ４が形成されている。ロック部材配設空間Ａ４は、天部ａ１０と底板部ａ１１と相対する側壁部ａ１２と奥壁部ａ１３とから形成されており、外側のみに開口部Ａ４’が形成されている。なお、天部ａ１０を、長辺側土手部１ａを構成する水平部１ａ２とすることができる。
【００４３】
ロック部材配設空間Ａ４を形成する天部ａ１０には、長辺側土手部１ａの長手方向に沿って、換言すれば、長辺側土手部１ａの内壁部１ａ１と略平行に、上部スリット或いは上部長溝ａ１４が形成されており、また、底板部ａ１１には、同様に、長辺側土手部１ａの長手方向に沿って、換言すれば、長辺側土手部１ａの内壁部１ａ１と略平行に、下部スリットａ１５が穿設されている。
【００４４】
また、底部１の長辺側土手部１ａに形成された嵌合ブロック挿入用凹部１１を構成する相対する側壁部１１ａのうち、嵌合ブロック挿入用凹部１１側に位置する側壁部１１ａは、ロック部材配設空間Ａ４を形成する相対する側壁部ａ１２のうち、嵌合ブロック挿入用凹部１１側に位置する側壁部ａ１２と共通な隔壁Ｐとして形成されている。この嵌合ブロック挿入用凹部１１とロック部材配設空間Ａ４との隔壁Ｐには、後述するロック部材の嵌合ロッド部が挿通可能な透孔ｐ１が穿設されている。
【００４５】
次に、図１０を用いて、ロック部材配設空間Ａ４内に、水平方向にスライド可能に配設されるロック部材Ｓ２について説明する。
【００４６】
ロック部材Ｓ２は、箱型状のスライド基部ｓ１０を有しており、スライド基部ｓ１０の相対する側壁部ｓ１０ａの一方の側壁部ｓ１０ａには、側壁部ｓ１０ａに略垂直に、上述した底部１の長辺側土手部１ａに形成された嵌合ブロック挿入用凹部１１とロック部材配設空間Ａ４との隔壁Ｐに穿設された透孔ｐ１に挿通可能な嵌合ロッド部ｓ１１が突設されている。また、スライド基部ｓ１０の天部ｓ１０ｂには、上述した底部１の長辺側土手部１ａに形成されたロック部材配設空間Ａ４を構成する天部ａ１０に形成された上部スリット或いは上部長溝ａ１４に嵌合可能な上部ガイドピンｓ１２が突設されており、更に、スライド基部ｓ１０の底板部ｓ１０ｃには、上述した底部１の長辺側土手部１ａに形成されたロック部材配設空間Ａ４を構成する底板部ａ１１に穿設された下部スリットａ１５に嵌合可能な下部ガイドピンｓ１３が複数個（本実施例においては、２個）垂設されている。
【００４７】
ロック部材Ｓ２を、底部１の長辺側土手部１ａに形成されたロック部材配設空間Ａ４に配設するには、ロック部材Ｓ２の嵌合ロッド部ｓ１１が、底部１の長辺側土手部１ａに形成された嵌合ブロック挿入用凹部１１とロック部材配設空間Ａ４との隔壁Ｐに穿設された透孔ｐ１側に位置するように配置するとともに、ロック部材Ｓ２のスライド基部ｓ１０の底板部ｓ１０ｃに垂設された下部ガイドピンｓ１３を、ロック部材配設空間Ａ４を構成する底板部ａ１１に穿設された下部スリットａ１５に嵌合するとともに、ロック部材Ｓ２を、ロック部材配設空間Ａ４の奥壁部ａ１３方向に移動させて、強制的に、ロック部材Ｓ２のスライド基部ｓ１０の天部ｓ１０ｂに立設された上部ガイドピンｓ１１を、ロック部材配設空間Ａ４を構成する天部ａ１０に形成された上部スリット或いは上部長溝ａ１４に嵌合する。このようにして、ロック部材Ｓ２が、底部１の長辺側土手部１ａに形成されたロック部材配設空間Ａ４内を、水平方向にスライド可能に配設されることになる。
【００４８】
図３に示されているように、折り畳まれた状態の折り畳みコンテナーを、図１に示されているように、箱型に組み立てる場合には、先ず最初に、一方の長側壁２を、垂直方向に回動させることになるが、この長側壁２の垂直方向への回動に先立って、底部１の長辺側土手部１ａに形成されたロック部材配設空間Ａ４内に配設されたロック部材Ｓ２を、長辺側土手部１ａに形成された嵌合ブロック挿入用凹部１１とロック部材配設空間Ａ４との隔壁Ｐから遠ざかる方向にスライドさせて、図１１に示されているように、ロック部材Ｓ２の嵌合ロッド部ｓ１１を、隔壁Ｐに穿設された透孔ｐ１から排出させておく。この状態から、長側壁２を、垂直方向に回動させると、長側壁２の下端水平リブ２ｆの中央部付近の裏面に垂設されたロッド嵌合ブロック１０が、底部１の長辺側土手部１ａに形成された嵌合ブロック挿入用凹部１１に嵌合されて、長側壁２が、略垂直に立てられることになる。
【００４９】
次いで、図１２に示されているように、ロック部材配設空間Ａ４内に配設されたロック部材Ｓ２を、嵌合ブロック挿入用凹部１１とロック部材配設空間Ａ４との隔壁Ｐ方向にスライドさせて、ロック部材Ｓ２の嵌合ロッド部ｓ１１を、隔壁Ｐに穿設された透孔ｐ１に挿通するとともに、ロック部材Ｓ２の嵌合ロッド部ｓ１１を、隔壁Ｐに穿設された透孔ｐ１と連通状態に配置されているロッド嵌合ブロック１０のロッド嵌合用空間部Ａ３に挿入する。次いで、同様にして、もう一方の長側壁２を、垂直方向に回動させて、もう一方の長側壁２の下端水平リブ２ｆの中央部付近の裏面に垂設されたロッド嵌合ブロック１０を、底部１の長辺側土手部１ａに形成された嵌合ブロック挿入用凹部１１に嵌合させて、もう一方の長側壁２を、略垂直に立て、その後、ロック部材配設空間Ａ４内に配設されたロック部材Ｓ２を、嵌合ブロック挿入用凹部１１とロック部材配設空間Ａ４との隔壁Ｐ方向にスライドさせて、ロック部材Ｓ２の嵌合ロッド部ｓ１１を、隔壁Ｐに穿設された透孔ｐ１に挿通するとともに、ロック部材Ｓ２の嵌合ロッド部ｓ１１を、隔壁Ｐに穿設された透孔ｐ１と連通状態に配置されているロッド嵌合ブロック１０のロッド嵌合用空間部Ａ３に挿入する。その後、短側壁３を、垂直方向に回動させて、略垂直に立てることにより、折り畳まれた状態の折り畳みコンテナーが、箱型に組み立てられることになる。
【００５０】
上述したように．折り畳みコンテナーが箱型に組み立てられた状態においては、底部１の長辺側土手部１ａに形成されたロック部材配設空間Ａ４内に水平方向にスライド可能に配設されたロック部材Ｓ２の嵌合ロッド部ｓ１１が、嵌合ブロック挿入用凹部１１とロック部材配設空間Ａ４との隔壁Ｐに穿設された透孔ｐ１に挿通されているとともに、長側壁２の下端水平リブ２ｆの裏面に垂設されたロッド嵌合ブロック１０のロッド嵌合用空間部Ａ３に挿入されているので、箱型に組み立てられた折り畳みコンテナーの長側壁２に、外側から内側方向に負荷が加わった際に、長側壁２が内側に倒れようとしても、ロッド嵌合ブロック１０のロッド嵌合用空間部Ａ３に挿入されているロック部材Ｓ２の嵌合ロッド部ｓ１１が、ロッド嵌合用空間部Ａ３を構成する奥壁１０ｃに当接し、従って、長側壁２が内側に傾倒したり湾曲するようなことを抑制することができる。
【００５１】
次に、図１３〜図１６を用いて、本発明の更に他の実施例（第３実施例）について説明する。
【００５２】
この実施例においては、図１３に示されている長側壁２の板状部２ａに形成された一対の垂直区画リブ２ｉと水平区画リブ２ｊ’と下端水平リブ２ｆとで区画されたロック部材配設空間Ａ５内に位置する下端水平リブ２ｆには、第１実施例と同様のスリット２ｆ１が穿設されている。
【００５３】
長側壁２の下端水平リブ２ｆに穿設されているスリット２ｆ１の一方の端部付近に位置する下端水平リブ２ｆには、スリット２ｆ１を跨ぐように、相対する垂直部１００ａと相対する垂直部１００ａの上端部を連結する水平部１００ｂとにより門形に形成された基台１００が立設されている。
【００５４】
ロック部材Ｓ３は、回動腕部ｓ１００と回動腕部ｓ１００の一方の端部に形成された、回動腕部ｓ１００に対して垂直な嵌合ロッド部ｓ１０１とから形成されている。そして、回動腕部１１００の嵌合ロッド部ｓ１０１が形成されていないもう一方の端部を、門形の基台１００を構成する相対する垂直部１００ａ間で、且つ、相対する垂直部１００ａの上端部付近に配置し、その後、回動腕部ｓ１００のもう一方の端部に穿設された水平孔及び基台１００の相対する垂直部１００ａの上端部付近に穿設された水平孔に、軸ピン１０１を嵌入することにより、門形の基台１００に、ロック部材Ｓ３を回動可能に枢支するように構成されている。
【００５５】
底部１の長辺側土手部１ａには、上方が開放されたロッド嵌合用空間部Ａ６が形成されており、ロッド嵌合用空間部Ａ６は、長辺側土手部１ａを構成する内壁部１ａ１と外壁部１ａ３と相対する側壁部ａ４とにより囲まれており、必要に応じて、底板部ａ５が形成されている。
【００５６】
長側壁２が、略垂直に立てられた状態において、ロック部材Ｓ３の回動腕部ｓ１００が、図１３に示されているように、略水平状態の位置から、軸ピン１０１を中心に、回動腕部ｓ１００を下方に回動させて、ロック部材Ｓ３の回動腕部ｓ１００と嵌合ロッド部ｓ１０１とを、長側壁２の下端水平リブ２ｆに穿設されたスリット２ｆ１を通過させ、その後、ロック部材Ｓ３の回動腕部ｓ１００と嵌合ロッド部ｓ１０１とを、図１６に示されているように、ロッド嵌合用空間部Ａ６に挿入する。
【００５７】
上述したように．折り畳みコンテナーが箱型に組み立てられた状態においては、長側壁２のロック部材配設空間Ａ５内に配設されたロック部材Ｓ３が、底部１の長辺側土手部１ａに形成されたロッド嵌合用空間部Ａ６に挿入されているので、箱型に組み立てられた折り畳みコンテナーの長側壁２に、外側から内側方向に負荷が加わった際には、ロッド嵌合用空間部Ａ６に挿入されているロック部材Ｓ３が、ロッド嵌合用空間部Ａ６を構成する長辺側土手部１ａの内壁部１ａ１の内面１ａ１’に当接することになり、従って、長側壁２が内側に傾倒したり湾曲するようなことを抑制することができる。
【００５８】
門形の基台１００を構成する相対する垂直部１００ａの相対する側面１００ａ’の一方の面或いは両方の面に、略水平状態のロック部材Ｓ３の回動腕部ｓ１００が当接する係止突部１０２を突設することにより、ロック部材Ｓ３の回動腕部ｓ１００が下動しないように構成することもできる。略水平なロック部材Ｓ３の回動腕部ｓ１００を下動させるには、回動腕部ｓ１００を下方に押し下げて、回動腕部ｓ１００を、基台１００の垂直部１００ａの相対する側面１００ａ’に突設されている係止突部１０２を越えて、強制的に、下動させることにより、回動腕部ｓ１００を、垂直方向に回動する。
【００５９】
上述した第３実施例には、長側壁２のロック部材配設空間Ａ５に、ロック部材Ｓ３を配設し、底部１の長辺側土手部１ａに、ロッド嵌合用空間部Ａ６が形成されている例が示されているが、長側壁２に、ロッド嵌合用空間部Ａ６を形成し、底部１の長辺側土手部１ａに、ロック部材配設空間Ａ５を形成することもできる。
【図面の簡単な説明】
【００６０】
【図１】図１は、本発明の折り畳みコンテナーが箱型に組み立てられた状態の斜視図である。
【図２】図２は、本発明の折り畳みコンテナーの組み立て途中或いは折り畳み途中の斜視図である。
【図３】図３は、本発明の折り畳みコンテナーの折り畳まれた状態の斜視図である。
【図４】図４は、本発明の折り畳みコンテナーの長側壁とロック部材の分解斜視図である。
【図５】図５は、ロック部材が配設された状態の本発明の折り畳みコンテナーの部分斜視図である。
【図６】図６は、本発明の折り畳みコンテナーの底部の部分斜視図である。
【図７】図７は、同じく、本発明の折り畳みコンテナーの底部の部分斜視図である。
【図８】図８は、ロック部材が配設された状態の本発明の折り畳みコンテナーの長側壁から見た部分正面図である。
【図９】図９は、本発明の折り畳みコンテナーの別の実施例の長側壁とロック部材の分解斜視図である。
【図１０】図１０は、同じく本発明の折り畳みコンテナーの別の実施例の長側壁とロック部材の分解斜視図である。
【図１１】図１１は、ロック部材が配設された状態の本発明の別の実施例の折り畳みコンテナーの部分斜視図である。
【図１２】図１２は、同じく、ロック部材が配設された状態の本発明の別の実施例の折り畳みコンテナーの部分斜視図である。
【図１３】図１３は、本発明の折り畳みコンテナーの更に別の実施例の部分斜視図である。
【図１４】図１４は、本発明の折り畳みコンテナーの更に別の実施例の拡大部分斜視図である。
【図１５】図１５は、本発明の折り畳みコンテナーの更に別の実施例の分解斜視図である。
【図１６】図１６は、本発明の折り畳みコンテナーの更に別の実施例の部分斜視図である。
【符号の説明】
【００６１】
Ａ１、Ａ４、Ａ５・・・・・・・・・・・・・ロック部材配設空間
Ａ２、Ａ３、Ａ６・・・・・・・・・・・・・ロッド嵌合用空間部
Ｓ１〜Ｓ３・・・・・・・・・・・・・・・・ロック部材
１・・・・・・・・・・・・・・・・・・・・底部
１ａ・・・・・・・・・・・・・・・・・・・長辺側土手部
２・・・・・・・・・・・・・・・・・・・・長側壁
２ｆ・・・・・・・・・・・・・・・・・・・下端水平リブ
２ｆ１・・・・・・・・・・・・・・・・・・スリット
３・・・・・・・・・・・・・・・・・・・・短側壁
【図１】
0004652222.tif 000002
【図２】
0004652222.tif 000003
【図３】
0004652222.tif 000004
【図４】
0004652222.tif 000005
【図５】
0004652222.tif 000006
【図６】
0004652222.tif 000007
【図７】
0004652222.tif 000008
【図８】
0004652222.tif 000009
【図９】
0004652222.tif 000010
【図１０】
0004652222.tif 000011
【図１１】
0004652222.tif 000012
【図１２】
0004652222.tif 000013
【図１３】
0004652222.tif 000014
【図１４】
0004652222.tif 000015
【図１５】
0004652222.tif 000016
【図１６】
0004652222.tif 000017